(57)【要約】【課題】複数のリモコンが１つの映像視聴装置と対応付けられ、上記複数のリモコンのうちで、１つのリモコンのみが、上記映像視聴装置を制御する制御権を有する映像視聴装置における番組制御装置であって、リモコンの属性、つまり種類に応じて、所定のコンテンツの視聴の可否を判断することができる映像視聴装置における番組制御装置、その制御方法およびプログラムを提供することを目的とするものである。【解決手段】リモコンが映像視聴装置と対応付けられ、映像視聴装置を制御することができる映像視聴装置における番組制御装置であり、上記リモコンが操作コマンドを発信していることを検出し、上記リモコンが発信した操作コマンドの実行を許可するか否かを、リモコンの種類毎に判定し、許可すると判定された場合には、上記操作コマンドを実行するものである。【選択図】  図１
2004153702.tif 000002
【特許請求の範囲】
【請求項１】
複数のリモコンが１つの映像視聴装置と対応付けられ、上記複数のリモコンのうちで、１つのリモコンのみが、上記映像視聴装置を制御する制御権を有する映像視聴装置における番組制御装置であって、
上記複数のリモコンのうちの所定のリモコンを所定のユーザが操作することによって、上記リモコンから発信された操作コマンドとリモコンＩＤとを受信する受信手段と；
上記受信手段が受信した信号の中から、上記リモコンＩＤを検出するリモコンＩＤ検出手段と；
上記リモコンＩＤ検出手段が検出したリモコンＩＤと、操作情報データベースに格納されているリモコンＩＤと操作情報と番組属性とに基づいて、上記発信された操作コマンドが、上記映像視聴装置を操作可能なコマンドであるか否かを、操作コマンド毎に判定する判定手段と；
上記判定手段が操作可能であると判断すると、上記映像視聴装置について上記操作コマンドを実行する操作コマンド実行手段と；
を有することを特徴とする映像視聴装置における番組制御装置。
【請求項２】
複数のリモコンが１つの映像視聴装置と対応付けられ、上記複数のリモコンのうちで、１つのリモコンのみが、上記映像視聴装置を制御する制御権を有する映像視聴装置における番組制御方法であって、
上記複数のリモコンのうちの所定のリモコンを所定のユーザが操作することによって、上記リモコンから発信された操作コマンドとリモコンＩＤとを受信する受信段階と；
上記受信段階で受信された信号の中から、上記リモコンＩＤを検出するリモコンＩＤ検出段階と；
上記リモコンＩＤ検出段階で検出されたリモコンＩＤと、操作情報データベースに格納されているリモコンＩＤと操作情報と番組属性とに基づいて、上記発信された操作コマンドが、上記映像視聴装置を操作可能なコマンドであるか否かを、操作コマンド毎に判定する判定段階と；
上記判定段階で操作可能であると判断されると、上記映像視聴装置について上記操作コマンドを実行する操作コマンド実行段階と；
を有することを特徴とする映像視聴装置における番組制御方法。
【請求項３】
複数のリモコンが１つの映像視聴装置と対応付けられ、上記複数のリモコンのうちで、１つのリモコンのみが、上記映像視聴装置を制御する制御権を有する映像視聴装置における番組を制御する場合、
上記複数のリモコンのうちの所定のリモコンを所定のユーザが操作することによって、上記リモコンから発信された操作コマンドとリモコンＩＤとを、信号入出力部が受信する受信手順と；
上記受信手順で受信された信号の中から、上記リモコンＩＤを、制御部が検出するリモコンＩＤ検出手順と；
上記リモコンＩＤ検出手順で検出されたリモコンＩＤと、操作情報データベースに格納されているリモコンＩＤと操作情報と番組属性とに基づいて、上記発信された操作コマンドが、上記映像視聴装置を操作可能なコマンドであるか否かを、操作コマンド毎に、操作可否判定部が判定する判定手順と；
上記判定手順で操作可能であると判断されると、上記映像視聴装置について上記操作コマンドを、制御部が実行する操作コマンド実行手順と；
をコンピュータに実行させるプログラム。
【請求項４】
ユーザを特定するユーザ特定情報を入力するユーザ特定情報入力手段と；
操作コマンドを入力する操作コマンド入力手段と；
ユーザ特定情報とそれに対応するリモコンＩＤとを予め記憶している記憶手段と；
上記入力されたユーザ特定情報と上記記憶手段に予め記憶されているユーザ特定情報とを照合することによってユーザを認証するユーザ認証手段と；
上記ユーザ認証手段が上記ユーザを認証すると、上記入力された操作コマンドと上記記憶手段に予め記憶されているリモコンＩＤとを発信する発信手段と；
を有することを特徴とするリモコン。
【請求項５】
ユーザを特定するユーザ特定情報を入力するユーザ特定情報入力手段と、操作コマンドを入力する操作コマンド入力手段と、ユーザ特定情報とそれに対応するリモコンＩＤとを予め記憶している記憶手段と、上記入力されたユーザ特定情報と上記記憶手段に予め記憶されているユーザ特定情報とを照合することによってユーザを認証するユーザ認証手段と、上記ユーザ認証手段が上記ユーザを認証すると、上記入力された操作コマンドと上記記憶手段に予め記憶されているリモコンＩＤとを発信する発信手段とを具備するリモコンと；
複数のリモコンが１つの映像視聴装置と対応付けられ、上記複数のリモコンのうちで、１つのリモコンのみが、上記映像視聴装置を制御する制御権を有する映像視聴装置における番組制御装置であって、上記複数のリモコンのうちの所定のリモコンを所定のユーザが操作することによって、上記リモコンから発信された操作コマンドとリモコンＩＤとを受信する受信手段と、上記受信手段が受信した信号の中から、上記リモコンＩＤを検出するリモコンＩＤ検出手段と、上記リモコンＩＤ検出手段が検出したリモコンＩＤと、操作情報データベースに格納されているリモコンＩＤと操作情報と番組属性とに基づいて、上記発信された操作コマンドが、上記映像視聴装置を操作可能なコマンドであるか否かを、操作コマンド毎に判定する判定手段と、上記判定手段が操作可能であると判断すると、上記映像視聴装置について上記操作コマンドを実行する操作コマンド実行手段とを具備する映像視聴装置における番組制御装置と；
を有することを特徴とする映像視聴システム。
【請求項６】
複数のリモコンが１つの映像視聴装置と対応付けられ、上記複数のリモコンのうちで、１つのリモコンのみが、上記映像視聴装置を制御する制御権を有する映像視聴装置における番組制御方法であって、
リモコンにおいて、ユーザを特定するユーザ特定情報とそれに対応するリモコンＩＤとを記憶手段に予め記憶し、ユーザが入力したユーザ特定情報と記憶手段に予め記憶されているユーザ特定情報とを照合することによってユーザを認証し、上記ユーザを認証すると、上記ユーザが入力した操作コマンドと上記記憶手段に予め記憶されているリモコンＩＤとを発信する段階と；
上記複数のリモコンのうちの所定のリモコンを所定のユーザが操作することによって、上記リモコンから発信された操作コマンドとリモコンＩＤとを受信する受信段階と；
上記受信段階で受信された信号の中から、上記リモコンＩＤを検出するリモコンＩＤ検出段階と；
上記リモコンＩＤ検出段階で検出されたリモコンＩＤと、操作情報データベースに格納されているリモコンＩＤと操作情報と番組属性とに基づいて、上記発信された操作コマンドが、上記映像視聴装置を操作可能なコマンドであるか否かを、操作コマンド毎に判定する判定段階と；
上記判定段階で操作可能であると判断されると、上記映像視聴装置について上記操作コマンドを実行する操作コマンド実行段階と；
を有することを特徴とする映像視聴装置における番組制御方法。
【請求項７】
請求項１において、
上記受信手段は、上記リモコンから、ユーザを特定する情報をも受信する手段であり、
上記判定手段は、上記受信手段が受信した上記ユーザを特定する情報に基づいて、上記ユーザを認証する手段であり、
上記操作コマンド実行手段は、上記判定手段が上記ユーザを認証すると、上記映像視聴装置について上記操作コマンドを実行する手段であることを特徴とする映像視聴装置における番組制御装置。
【請求項８】
請求項２において、
上記受信段階は、上記リモコンから、ユーザを特定する情報をも受信する段階であり、
上記判定段階は、上記受信段階で受信した上記ユーザを特定する情報に基づいて、上記ユーザを認証する段階であり、
上記操作コマンド実行段階は、上記判定段階で上記ユーザを認証すると、上記映像視聴装置について上記操作コマンドを実行する段階であることを特徴とする映像視聴装置における番組制御方法。
【請求項９】
請求項３において、
上記受信手順は、上記リモコンから、ユーザを特定する情報をも受信する手順であり、
上記判定手順は、上記受信手順で受信した上記ユーザを特定する情報に基づいて、上記ユーザを認証する手順であり、
上記操作コマンド実行手順は、上記判定手順で上記ユーザを認証すると、上記映像視聴装置について上記操作コマンドを実行する手順であることを特徴とするプログラム。
【発明の詳細な説明】
【０００１】
【発明の属する技術分野】
本発明は、リモコンの種類に応じて、操作可能な操作コマンドを設定し、操作可能な操作コマンドとして設定されている操作コマンドのみを実行するように、映像視聴装置を制御する映像視聴装置における番組制御装置、その制御方法およびプログラムに関する。
【０００２】
【従来の技術】
テレビ受像機は、様々な放送システムに対応し、そのコンテンツを楽しむことができる映像視聴装置の一形態である。従来のテレビ受像機のリモコンは、テレビ受像機から離れた位置で、そのテレビ受像機を制御する装置であり、従来のテレビ受像機のリモコンの他に、携帯電話機能付リモコン、ＰＤＡ機能付リモコン、腕時計機能付リモコン等のリモコンが知られている。
【０００３】
放送システムは、電波放送システム、インターネット放送等の放送システムである。電波放送は、一般の地上波テレビ受像機放送、ラジオ放送、衛星放送、ディジタル衛星放送等、電波を通じて番組を放送する放送形態である。インターネット放送は、インターネットを通じて番組を放送する放送形態である。
【０００４】
また、ＰＤＡは、Ｐｅｒｓｏｎａｌ  Ｄｉｇｉｔａｌ  Ａｓｓｉｓｔａｎｔ（携帯用個人情報端末）であり、手のひらに収まる程度の大きさの電子機器であり、パソコンの持つ機能のうちのいくつかを実装している端末である。
【０００５】
テレビ受像機やビデオ記録再生装置等の映像視聴装置は、映像視聴装置１台に、専用リモコンが１台装備されている場合が一般的であり、専用リモコンを操作すると、赤外線信号や電波信号等の無線信号を介して、離れた場所から上記映像視聴装置を制御することができる。
【０００６】
電波放送、インターネット放送にしても、多種多様なユーザの要求に応えるために、コンテンツの種類が多岐にわたり、増大しつつある。
【０００７】
ところで、たとえば有料のコンテンツのように、料金を払った人にだけ視聴を許可する場合には、どのユーザが映像視聴装置を使用し、そのユーザが料金を払っているか否かを判定する必要がある。ＢＳ放送等においては、チューナにカードを差し込むことによって、ユーザを特定する方法が採られている。
【０００８】
しかし、この方法を採用すると、一度カードを差し込むと、その後は、その１人のユーザが視聴していると認識されるので、ユーザ毎に視聴を許可するか否かを決めることができず、ユーザ毎のきめ細かいサービスを提供することができないという欠点がある。
【０００９】
視聴しているユーザの判定を行うためには、視聴装置に対する操作信号がどのリモコンからの操作信号であるかを判定すれば、視聴させたくないコンテンツや、ペーパービュー方式（番組毎に料金を払う方式）の視聴では、料金未払いのために視聴できないコンテンツ等を視聴不可とする等の細かいサービスを行うことができる。
【００１０】
ところで、視聴者ＩＤに応じて、視聴者情報を区別し、１つの機器で複数の視聴者に対応する方法が知られている（たとえば、特許文献１参照）。
【００１１】
【特許文献１】
特開２０００−２２４５０３公報
【００１２】
【発明が解決しようとする課題】
しかし、上記従来例では、リモコンの種類に応じて視聴可能なコンテンツを制御することができないという問題がある。
【００１３】
本発明は、複数のリモコンが１つの映像視聴装置と対応付けられ、上記複数のリモコンのうちで、１つのリモコンのみが、上記映像視聴装置を制御する制御権を有する映像視聴装置における番組制御装置であって、リモコンの属性、つまり種類に応じて、所定のコンテンツの視聴の可否を判断することができる映像視聴装置における番組制御装置、その制御方法およびプログラムを提供することを目的とするものである。
【００１４】
【課題を解決するための手段】
本発明は、リモコンが映像視聴装置と対応付けられ、映像視聴装置を制御することができる映像視聴装置における番組制御装置であり、上記リモコンが操作コマンドを発信していることを検出し、上記リモコンが発信した操作コマンドの実行を許可するか否かを、リモコンの種類毎に判定し、許可すると判定された場合には、上記操作コマンドを実行するものである。
【００１５】
【発明の実施の形態および実施例】
［第１の実施例］
図１は、本発明の一実施例である映像視聴システム１００の構成を示す機能ブロック図である。
【００１６】
映像視聴システム１００は、電波放送システムに応用した場合であり、また、操作するリモコンが３台存在している場合の実施例であり、つまり、リモコンＲＣ１、ＲＣ２、ＲＣ２と、映像視聴装置Ｖ１１とを有する。
【００１７】
リモコンＲＣ１は、制御部１１と、操作情報入力部１２と、ユーザ情報蓄積部１３と、信号入出力部１４とを有する。リモコンＲＣ２、ＲＣ３は、リモコンＲＣ１の構成と同じである。
【００１８】
映像視聴装置Ｖ１１は、制御部２１と、信号入出力部２２と、コンテンツ情報蓄積部２３と、リモコン情報蓄積部２４と、操作可否判定部２５と、映像音声出力部２６とを有する。
【００１９】
そして、複数のリモコンＲＣ１、ＲＣ２、ＲＣ３が１つの映像視聴装置１００と対応付けられ、上記複数のリモコンのうちで、１つのリモコンのみが、映像視聴装置１００を制御する制御権を有する。
【００２０】
制御部２１は、上記受信手段が受信した信号の中から、上記リモコンＩＤを検出するリモコンＩＤ検出手段の例である。
【００２１】
信号入出力部２２は、複数のリモコンのうちの所定のリモコンを所定のユーザが操作することによって上記リモコンから発信された操作コマンドとリモコンＩＤとを受信する受信手段の例である。
【００２２】
コンテンツ情報蓄積部２３は、コンテンツに関する情報、たとえば、番組名、番組属性、開始時刻、終了時刻等を蓄積している。
【００２３】
リモコン情報蓄積部２４は、リモコンＩＤ、リモコン属性等を記憶しているリモコン情報データベースを格納している。
【００２４】
操作可否判定部２５は、上記リモコンＩＤ検出手段が検出したリモコンＩＤと、操作情報データベースに格納されているリモコンＩＤと操作情報と番組属性とに基づいて、上記発信された操作コマンドが、上記映像視聴装置を操作可能なコマンドであるか否かを、操作コマンド毎に判定する判定手段の例である。
【００２５】
制御部２１と映像音声出力部２６とは、上記判定手段が操作可能であると判断すると、上記映像視聴装置について上記操作コマンドを実行する操作コマンド実行手段の例である。
【００２６】
次に、上記実施例の動作について説明する。
【００２７】
図２は、映像視聴システム１００において、リモコンＲＣ１を操作した場合における動作を示すフローチャートである。
【００２８】
まず、リモコンＲＣ１において、チャンネルを変える等の操作をすると（Ｓ１）、操作情報入力部１２から、制御部１１と信号入出力部１４とを介して、操作信号が出力される。操作情報入力部１２は、電源ボタンやチャンネルボタン等の入力装置である。
【００２９】
そして、リモコンＲＣ１が出力した操作信号を、映像視聴装置Ｖ１１の信号入出力部２２が受信する（Ｓ２）。上記操作信号には、ユーザ情報蓄積部１３に記憶されているリモコンＩＤが含まれ、このリモコンＩＤは、どのリモコンからの操作信号であるのかを特定するものである。
【００３０】
制御部２１が、上記操作信号を受信し、この受信した操作信号に基づいて、操作内容を解釈する（Ｓ３）。
【００３１】
コンテンツに関する情報（番組名、番組属性、開始時刻、終了時刻、チャンネル等）が、コンテンツ情報蓄積部２３に蓄積されている。
【００３２】
図３は、上記実施例において、コンテンツ情報蓄積部２３に蓄積されているコンテンツに関する情報の内容の例を示す図である。
【００３３】
番組属性の項に、Ｓ、Ｈ、Ｃ等の記号が記載され、そのコンテンツの属性を示している。番組属性「Ｓ」は、たとえば、スポーツ番組を示す属性であると考えてもよく、そのスポーツのうちのサッカーの番組を示す属性であると考えてもよく、また、もっと具体的に、何月、何日の何時何分から始まる番組を示す属性であると考えてもよい。また、番組属性を任意に定めるようにしてもよい。
【００３４】
図４は、上記実施例において、リモコン名と、リモコンの属性との関係を示すリモコン情報データを示す図である。
【００３５】
リモコン属性はリモコンの種類であり、たとえば、リモコン属性「Ｘ」は大人用のリモコンであり、リモコン属性「Ｙ」は子供用のリモコンであり、リモコン属性「Ｚ」は、有料番組視聴用のリモコンであると考えてもよい。リモコン属性「Ｘ」、「Ｙ」、「Ｚ」として、上記属性以外の属性を任意に定めるようにしてもよい。
【００３６】
これらのリモコンの情報は、リモコン情報蓄積部２４に蓄積されている。
【００３７】
ユーザ１人１人がそれぞれ専用のリモコンを持つと考えれば、リモコンの情報とは、すなわちユーザの情報であると考えることができ、その操作制限の項にどのタイプの制限を加えるかが、リモコン情報蓄積部２４に書かれている。
【００３８】
図２に示すフローチャートにおいて、ステップＳ４では、制御部２１が解釈した操作内容を、許可できるか否かを、操作可否判定部２５が判定する。
【００３９】
図５は、上記実施例において、所定のリモコン属性に関して、各番組属性について所定の操作を実行可能であるか否かを示す操作情報データベースの内容を示す図である。
【００４０】
操作可否判定部２５は、リモコン属性とコンテンツ属性の組み合わせに、操作情報を加味し、操作の可否を判定するものであり、図５に示す操作情報データベースを格納している。
【００４１】
たとえば、リモコンＲＣ１を操作するユーザが、図３における番組１を視聴したいと思い、チャンネルＵＰの操作を行ったとする。番組１の属性は、図３に示すように、「Ｓ」である。
【００４２】
なお、コンテンツ情報蓄積部２３は、コンテンツ情報からコンテンツ属性を決定するために、図３に示すコンテンツ情報データベースを蓄積するものである。また、リモコン情報蓄積部２４は、リモコンＩＤからリモコン属性を決定するために、図４に示すリモコン情報データベースを格納している。
【００４３】
一方、図４において、リモコンＲＣ１の属性はＸで表されている。
【００４４】
操作可否判定部２５は、上記リモコン属性に対して操作が許可されているか否かを、図５に示す操作情報データベースに基づいて、判定する。図５において、○印は、操作可能であることを示し、×印は、操作不可能であることを示す。図５によれば、番組属性Ｓに対して、リモコン属性ＸのチャンネルＵＰは、操作不可である。つまり、リモコン属性Ｘを有するリモコンが、番組属性Ｓを有する番組について、チャンネルＵＰの操作を実行することができない。
【００４５】
図２に示すフローチャートに戻り、リモコンＲＣ１が選択した操作の内容が許可されていれば（Ｓ４）、その選択された操作を、映像音声出力部２６で反映し（Ｓ５）、逆に、リモコンＲＣ１が選択した操作が、許可されていなければ（Ｓ４）、操作が反映されることなく終了する。操作毎に、操作の許可、不許可を設定するようにしてもよい。たとえば、音量の上げ下げ等、番組の視聴に関する操作が不可能であるとして登録し、チャンネルを変える等の操作が可能であるとして登録するようにしてもよい。
【００４６】
なお、図５に示す操作情報データベースの内容例において、チャンネルＵＰ、チャンネルＤＯＷＮの操作の対象となるチャンネルとは、チャンネル変更後に、これから視聴しようとするチャンネルを意図している。つまり、チャンネルをＵＰまたはＤＯＷＮすることによって変更された後のチャンネルに対して、視聴を許可するか否かを設定してある。
【００４７】
図６は、上記実施例において、リモコンと操作制限内容とキーワードとの関係を示すリモコン情報データベースの内容を示す図である。
【００４８】
図６に示すように、キーワードの項を設け、このキーワードが、図３に示す番組名に含まれるか否かを調べ、含まれている場合には、操作不可にする等のように判定するようにしてもよい。または、図３に示す例に、番組概要の項目を付け足し、番組概要にキーワードが含まれているか否かを調べ、含まれている場合には、操作不可にする等のように判定するようにしてもよい。
【００４９】
ここで、映像視聴装置Ｖ１１は、テレビやビデオ等の映像を視聴するための装置であり、映像視聴装置Ｖ１１としてテレビを想定したときに、チューナは映像音声出力部２６に含まれているので、チャンネルＵＰという操作命令を受信すると、映像音声出力部２６内のチューナが動作し、受信チャンネルをＵＰさせることができる。映像視聴装置Ｖ１１としてビデオ装置を想定すれば、再生、早送り等の各操作命令に対して、映像音声出力部２６内のビデオ装置が各操作命令に対応する動作を実行する。
【００５０】
［第２の実施例］
図７は、本発明の第２の実施例である映像視聴システム２００を示すブロック図である。
【００５１】
映像視聴システム２００は、インターネット放送システムに応用した実施例であり、ネットワークＮＷを介して、映像視聴装置Ｖ２１、Ｖ２２、ユーザ情報サーバＵＳ１、コンテンツサーバＣＳ１を接続するシステムである。
【００５２】
つまり、映像視聴システム２００において、映像視聴システム１００における映像視聴装置Ｖ１１から、コンテンツ情報蓄積部２３、リモコン情報蓄積部２４、操作可否判定部２５を除いたものが、映像視聴装置Ｖ２１、Ｖ２２であるとする。ユーザ情報サーバＵＳ１は、上記除かれた、コンテンツ情報蓄積部２３、リモコン情報蓄積部２４、操作可否判定部２５と、新たな制御部２６とを有する。コンテンツサーバＣＳ１は、映像コンテンツを格納しているサーバである。
【００５３】
コンテンツサーバＣＳ１に格納されている映像コンテンツを、ネットワークＮＷを介して、映像視聴装置Ｖ２１に配信し、ユーザは、映像視聴装置Ｖ２１で映像等の情報を視聴することができる。
【００５４】
映像視聴システム２００によれば、映像視聴装置Ｖ２１がネットワークＮＷに接続されてさえいれば、ユーザは、どの映像視聴装置からでも、同じサービスを受けることができ、便利である。特に、ペーパービュー視聴の場合、自宅の映像視聴装置のみの視聴ではなく、友人宅等での視聴も可能になり、便利である。
【００５５】
［第３の実施例］
図８は、本発明の第３の実施例である映像視聴システム３００を示すブロック図である。
【００５６】
映像視聴システム３００は、視聴可否をリモコン自身が判定するシステムであり、映像視聴システム２００において、ユーザ情報サーバＵＳ１を削除し、リモコンＲＣ３１に、ユーザ情報サーバＵＳ１の機能を持たせたものである。
【００５７】
つまり、リモコンＲＣ３１は、リモコンＲ１において、コンテンツ情報蓄積部２３、リモコン情報蓄積部２４、操作可否判定部２５を設けたものである。つまり、リモコンＲＣ３１は、制御部１１と、操作情報入力部１２と、ユーザ情報蓄積部１３と、信号入出力部１４と、コンテンツ情報蓄積部２３と、リモコン情報蓄積部２４と、操作可否判定部２５とを有する。リモコンＲＣ３２、ＲＣ３３は、リモコンＲＣ３１の構成と同じである。
【００５８】
映像視聴システム３００によれば、どの映像視聴装置を使用しているのかには関係なく、ユーザ毎のサービスを受けることができる。
【００５９】
［第４の実施例］
本発明の第４の実施例は、リモコンＩＤを割り振る実施例である。
【００６０】
リモコンＩＤを割り振る場合、その割り振り方法をいくつか考えることができる。まず、リモコンＩＤの第１の割り振り方法は、リモコン毎にＩＤを固定し、割り振る方法である。この第１の割り振り方法では、リモコン製作時に、リモコンＩＤ記憶部に、リモコンＩＤを記憶させる。
【００６１】
しかし、自分専用のリモコンを持ち合わせていない場合を考えると、リモコンＩＤを複数用意できることが便利である。
【００６２】
リモコンＩＤの第２の割り振り方法は、ユーザが変わったときに、リモコンＩＤを、新たなユーザに合わせて、付け直す方法である。
【００６３】
どのユーザがリモコンを使用しているかを判断する場合、リモコン使用時に、ユーザのＩＤとパスワードとを、操作情報入力部１２から入力し、この入力されたＩＤとパスワードとが、ユーザ情報蓄積部１３に送られる。ユーザ情報蓄積部１３に予め記憶されているＩＤとパスワードとが、制御部１１で照合され、記憶されているＩＤ、パスワードが、入力されたＩＤ、パスワードと一致すると、リモコンＩＤを発行し、それ以後の操作時に、上記発行されたリモコンＩＤを、操作信号に付加する。
【００６４】
また、ユーザを特定、認証する場合、ＩＤとパスワードとを入力させる他に、鍵やＩＤカード等によって、認証するようにしてもよい。また、指紋認証等のユーザ特有のパターンを使用して、認証するようにしてもよい。すなわち、ユーザを特定することができる手法であれば、上記以外の手法を用いてもよい。
【００６５】
つまり、上記リモコンは、ユーザを特定するユーザ特定情報を入力するユーザ特定情報入力手段と、操作コマンドとを入力する操作コマンド入力手段と、ユーザ特定情報とそれに対応するリモコンＩＤとを予め記憶している記憶手段と、上記入力されたユーザ特定情報と上記記憶手段に予め記憶されているユーザ特定情報とを照合することによってユーザを認証するユーザ認証手段と、上記ユーザ認証手段が上記ユーザを認証すると、上記入力された操作コマンドと上記記憶手段に予め記憶されているリモコンＩＤとを発信する発信手段と有するリモコンである。
【００６６】
上記のようにすることによって、所定のユーザが他人の家に行ったとき等に、上記他人の家に存在している他人のリモコンに、自己のＩＤとパスワードとを入力し、上記リモコンが上記ＩＤとパスワードとを認証すれば、上記他人のリモコンをあたかも自分用のリモコンとして利用することができる。
【００６７】
また、上記ユーザの認証を、リモコンが実行せず、映像視聴装置、ユーザ情報サーバ側で実行するようにしてもよい。つまり、映像視聴装置における受信手段が、リモコンから、ユーザを特定する情報をも受信し、映像視聴装置における判定手段は、上記受信手段が受信した上記ユーザを特定する情報に基づいて、上記ユーザを認証し、映像視聴装置における操作コマンド実行手段は、上記判定手段が上記ユーザを認証すると、映像視聴装置について上記操作コマンドを実行するようにしてもよい。
【００６８】
上記のようにすることによって、所定のユーザが他人の家に行ったとき等に、上記他人の家に存在している他人のリモコンに、自己のＩＤとパスワードとを入力し、映像視聴装置、ユーザ情報サーバ側が、上記ＩＤとパスワードとを認証すれば、上記他人のリモコンをあたかも自分用のリモコンとして利用することができる。
【００６９】
さらに、上記実施例をプログラムの実施例として把握することができる。つまり、上記実施例は、複数のリモコンが１つの映像視聴装置と対応付けられ、上記複数のリモコンのうちで、１つのリモコンのみが、上記映像視聴装置を制御する制御権を有する映像視聴装置における番組を制御する場合、上記複数のリモコンのうちの所定のリモコンを所定のユーザが操作することによって、上記リモコンから発信された操作コマンドとリモコンＩＤとを、信号入出力部が受信する受信手順と、上記受信手順で受信された信号の中から、上記リモコンＩＤを、制御部が検出するリモコンＩＤ検出手順と、上記リモコンＩＤ検出手順で検出されたリモコンＩＤと、操作情報データベースに格納されているリモコンＩＤと操作情報と番組属性とに基づいて、上記発信された操作コマンドが、上記映像視聴装置を操作可能なコマンドであるか否かを、操作コマンド毎に、操作可否判定部が判定する判定手順と、上記判定手順で操作可能であると判断されると、上記映像視聴装置について上記操作コマンドを、制御部が実行する操作コマンド実行手順とをコンピュータに実行させるプログラムの例である。
【００７０】
この場合、上記受信手順は、上記リモコンから、ユーザを特定する情報をも受信する手順であり、上記判定手順は、上記受信手順で受信した上記ユーザを特定する情報に基づいて、上記ユーザを認証する手順であり、上記操作コマンド実行手順は、上記判定手順で上記ユーザを認証すると、上記映像視聴装置について上記操作コマンドを実行する手順である。
【００７１】
【発明の効果】
本発明によれば、ユーザが自分専用のリモコンを使うと決めれば、リモコン毎にユーザの特定を行うことができるので、ユーザ毎にコンテンツの視聴の可否を決めることができるという効果を奏する。
【００７２】
また、本発明によれば、ネットワークを介して配信された映像を視聴できる映像視聴装置を視聴する場合、ユーザが同じリモコンを使えば、どの映像視聴装置を操作しても、リモコン毎に、視聴の可否を決定できるので、ユーザに視聴許可されたコンテンツを、どの映像視聴装置からでも、視聴することができるという効果を奏する。
【図面の簡単な説明】
【図１】本発明の一実施例である映像視聴システム１００の構成を示す機能ブロック図である。
【図２】映像視聴システム１００において、リモコンＲＣ１を操作した場合における動作を示すフローチャートである。
【図３】上記実施例において、コンテンツ情報蓄積部２３に蓄積されているコンテンツに関する情報を示すコンテンツ情報データベースの内容を示す例である。
【図４】上記実施例において、リモコン名と、リモコンの属性との関係を示すリモコン情報データベースの内容の例を示す図である。
【図５】上記実施例において、所定のリモコン属性に関して、各番組属性について所定の操作を実行可能であるか否かを示す操作情報データベースの内容の例を示す図である。
【図６】上記実施例において、リモコン名と操作制限内容とキーワードとの関係を示すリモコン情報データベースの内容を示す図である。
【図７】本発明の第２の実施例である映像視聴システム２００を示すブロック図である。
【図８】本発明の第３の実施例である映像視聴システム３００を示すブロック図である。
【符号の説明】
１００，２００、３００…映像視聴システム、
ＲＣ１、ＲＣ２、ＲＣ３、ＲＣ３１、ＲＣ３２、ＲＣ３３…リモコン、
Ｖ１１、Ｖ２１、Ｖ２２…映像視聴装置、
ＣＳ１…コンテンツサーバ、
ＵＳ１…ユーザ情報サーバ。
【図１】
2004153702.tif 000003
【図２】
2004153702.tif 000004
【図３】
2004153702.tif 000005
【図４】
2004153702.tif 000006
【図５】
2004153702.tif 000007
【図６】
2004153702.tif 000008
【図７】
2004153702.tif 000009
【図８】
2004153702.tif 000010